(57)【特許請求の範囲】
【請求項１】
所定の速度で運針する指針を備えた装置本体と、
この装置本体の上部外周に回転可能に設けられ、且つその表面に測定目盛部が設けられた回転目盛部材と、
前記回転目盛部材が回転して、前記測定目盛部の設置位置を測定条件に合った位置に設定するための前記測定目盛部に設けられた設定マークと、
前記回転目盛部材を回転させて前記測定目盛部の設定マークの設置位置を微調整するための前記装置本体の上部に固設された微調整目盛部と、
前記指針の運針開始と運針停止とを行うための操作部と、
を備え、
前記測定目盛部は予め設定した距離を走行する際における速度を表す目盛が表示された速度表示目盛部であり、前記微調整目盛部は前記速度表示目盛部の設置位置を微調整するための微調整目盛が表示された副目盛部であり、前記設定マークは前記副目盛部に対して相対的に回転する前記回転目盛部材の所定位置に設けられており、前記操作部の操作によって前記指針が運針して測定を行った際に、当該指針によって指示された前記速度表示目盛部の目盛が測定速度を表すことを特徴とする測定装置。
【請求項２】
前記回転目盛部材には、同心円上に沿ってそれぞれ異なる距離ごとの速度目盛が表示された複数の速度表示目盛部が設けられていることを特徴とする請求項１に記載の測定装置。
【請求項３】
前記回転目盛部材はそれぞれ独立して回転する複数の回転目盛リングを備えており、この複数の回転目盛リングには、それぞれ異なる距離ごとの速度目盛が表示された複数の速度表示目盛部と、この複数の速度目盛部をそれぞれ所定位置に設定するための複数の設定マークとが設けられていることを特徴とする請求項１に記載の測定装置。
【請求項４】
所定の速度で運針する指針を備えた装置本体と、
この装置本体の上部外周に回転可能に設けられ、且つその表面に測定目盛部が設けられた回転目盛部材と、
前記回転目盛部材が回転して、前記測定目盛部の設置位置を測定条件に合った位置に設定するための前記測定目盛部に設けられた設定マークと、
前記回転目盛部材を回転させて前記測定目盛部の設定マークの設置位置を微調整するための前記装置本体の上部に設けられた微調整目盛部と、
前記指針の運針開始と運針停止とを行うための操作部と、
を備え、
前記測定目盛部は予め設定した時間内に歩いた歩数を表す歩数目盛が表示された歩数表示目盛部であり、前記微調整目盛部は前記歩数表示目盛部の設置位置を微調整するための単位時間当たりの歩数を表す単位目盛が表示された副目盛部であり、前記設定マークは前記副目盛部に対して相対的に回転する前記回転目盛部材の所定位置に設けられており、前記操作部の操作によって前記指針が運針して測定を行った際に、当該指針によって指示された前記歩数表示目盛部の目盛が測定歩数を表すことを特徴とする測定装置。
【請求項５】
請求項１又は４に記載された測定装置と、
この測定装置と文字板の上方を運針して時刻を指示する指針とを備えた時計ケースと、
を備えていることを特徴とする多機能時計。
【発明の詳細な説明】
【技術分野】
【０００１】
この発明は、速度や歩数などの測定を行う測定装置およびそれを備えた多機能時計に関する。
【背景技術】
【０００２】
従来、多機能時計である指針式の腕時計においては、特許文献１に記載されているように、自動車レースにおける車の速度を測定する速度メータ（タキプロダクトメータ）を備えたものが知られている。この種の腕時計は、腕時計ケースの外周部に固定ベゼルを設け、この固定ベゼルの表面に速度表示目盛部を円周に沿って設けた構成になっている。なお、特許文献１には、車の加速度を測定する加速度メータを備えたものも記載されているが、基本的な構成は速度メータと同じである。
【特許文献１】特開平０６−１０２３６７
【０００３】
このような腕時計では、車の速度を測定する際、ストップウオッチスイッチを操作して秒針を０秒位置からスタートさせ、スタートした車が１ｋｍ地点に到達したときに、再びストップウオッチスイッチを操作して秒針を停止させ、この停止した秒針が指示する速度表示目盛部の目盛を読むことにより、車の速度を測定することができる。
【発明の開示】
【発明が解決しようとする課題】
【０００４】
しかしながら、このような従来の腕時計では、車の速度を測定する際、スタート地点でストップウオッチスイッチを操作してから１ｋｍ地点で再びストップウオッチスイッチを操作しなければ、車の速度を測定することができないため、車の走行距離が１ｋｍに限定されてしまうばかりか、スタート地点と１ｋｍ地点とが異なる場所であると、車が１ｋｍを走行したか否かを正確に把握することができず、車の速度を正確に測定することができないという問題がある。
【０００５】
この発明が解決しようとする課題は、測定目盛部を測定条件に合う位置に正確に且つ簡単に設定して、速度や歩数などの測定が正確にできる測定装置およびそれを備えた多機能時計を提供することである。
【課題を解決するための手段】
【０００６】
この発明は、上記課題を解決するために、次のような構成要素を備えている。
請求項１に記載の発明は、所定の速度で運針する指針を備えた装置本体と、この装置本体の上部外周に回転可能に設けられ、且つその表面に測定目盛部が設けられた回転目盛部材と、前記回転目盛部材が回転して、前記測定目盛部の設置位置を測定条件に合った位置に設定するための前記測定目盛部に設けられた設定マークと、前記回転目盛部材を回転させて前記測定目盛部の設定マークの設置位置を微調整するための前記装置本体の上部に固設された微調整目盛部と、前記指針の運針開始と運針停止とを行うための操作部と、を備え、前記測定目盛部は予め設定した距離を走行する際における速度を表す目盛が表示された速度表示目盛部であり、前記微調整目盛部は前記速度表示目盛部の設置位置を微調整するための微調整目盛が表示された副目盛部であり、前記設定マークは前記副目盛部に対して相対的に回転する前記回転目盛部材の所定位置に設けられており、前記操作部の操作によって前記指針が運針して測定を行った際に、当該指針によって指示された前記速度表示目盛部の目盛が測定速度を表すことを特徴とする測定装置である。
【０００８】
請求項２に記載の発明は、前記回転目盛部材には、同心円上に沿ってそれぞれ異なる距離ごとの速度目盛が表示された複数の速度表示目盛部が設けられていることを特徴とする請求項１に記載の測定装置である。
【０００９】
請求項３に記載の発明は、前記回転目盛部材はそれぞれ独立して回転する複数の回転目盛リングを備えており、この複数の回転目盛リングには、それぞれ異なる距離ごとの速度目盛が表示された複数の速度表示目盛部と、この複数の速度目盛部をそれぞれ所定位置に設定するための複数の設定マークとが設けられていることを特徴とする請求項１に記載の測定装置である。
【００１０】
請求項４に記載の発明は、所定の速度で運針する指針を備えた装置本体と、この装置本体の上部外周に回転可能に設けられ、且つその表面に測定目盛部が設けられた回転目盛部材と、前記回転目盛部材が回転して、前記測定目盛部の設置位置を測定条件に合った位置に設定するための前記測定目盛部に設けられた設定マークと、前記回転目盛部材を回転させて前記測定目盛部の設定マークの設置位置を微調整するための前記装置本体の上部に設けられた微調整目盛部と、前記指針の運針開始と運針停止とを行うための操作部と、を備え、前記測定目盛部は予め設定した時間内に歩いた歩数を表す歩数目盛が表示された歩数表示目盛部であり、前記微調整目盛部は前記歩数表示目盛部の設置位置を微調整するための単位時間当たりの歩数を表す単位目盛が表示された副目盛部であり、前記設定マークは前記副目盛部に対して相対的に回転する前記回転目盛部材の所定位置に設けられており、前記操作部の操作によって前記指針が運針して測定を行った際に、当該指針によって指示された前記歩数表示目盛部の目盛が測定歩数を表すことを特徴とする測定装置である。
【００１１】
請求項５に記載の発明は、請求項１又は４に記載された測定装置と、この測定装置と文字板の上方を運針して時刻を指示する指針とを備えた時計ケースと、を備えていることを特徴とする多機能時計である。
【発明の効果】
【００１２】
この発明によれば、装置本体の上部外周に回転可能に設けられた回転目盛部材を回転させて、微調整目盛部のいずれかの目盛に設定マークを合わせることにより、回転目盛部材に設けられた測定目盛部の設置位置を微調整して測定条件に合う位置に正確に且つ簡単に設定することができ、この状態で操作部の操作により指針を運針させて測定を行った際に、この運針した指針が回転目盛部材の表面に設けられた測定目盛部の目盛を指示することにより、速度や歩数などの測定を正確に行うことができる。
【発明を実施するための最良の形態】
【００１３】
（実施形態１）
以下、図１〜図９を参照して、この発明を多機能腕時計に適用した実施形態１について説明する。
この多機能腕時計は、図１に示すように、腕時計ケース１を備えている。この腕時計ケース１の１２時側と６時側とには、それぞれバンド取付部２が設けられており、３時側と９時側との各側面には、複数の押釦スイッチ３がそれぞれ設けられている。この複数の押釦スイッチ３のうち、いずれか１つの押釦スイッチ３がストップウオッチスイッチに構成されている。
【００１４】
また、この腕時計ケース１の上面中央部には、図１に示すように、円板状の時計ガラス４が設けられており、この時計ガラス４の外周側に位置する腕時計ケース１の上面外周部には、リング状の回転目盛板５が回転可能に設けられている。さらに、この腕時計ケース１内には、文字板６が時計ガラス４に対応して設けられていると共に、この文字板６の周囲には、時計ガラス４を通して外部上方から見えるリング状の見切板７が回転目盛板５の内周に接近して設けられている。
【００１５】
この場合、文字板６の中心部には、図１に示すように、指針軸８が文字板６の下面側（図１では裏面側）から上面側（図１では表面側）に突出して設けられていると共に、この突出した指針軸８の上端部には、指針１０が取り付けられている。この指針１０は、秒針１１、分針１２、時針１３の３針からなり、文字板６の上方をそれぞれ所定の速度で運針して文字板６の外周に設けられた時字６ａを指示することにより、時刻を指示表示するように構成されている。
【００１６】
ところで、回転目盛板５の表面には、図１に示すように、予め設定された距離を所定時間内で走行する際の速度を表す速度表示目盛部１４が回転目盛板５の円周に沿って印刷などにより設けられている。例えば、この速度表示目盛部１４は、１周が３.０ｋｍ〜３.９ｋｍ程度のサークルを車が５５秒〜６４秒程度で走行する自動車のサーキットレースを想定して、速度目盛が所定間隔で設けられている。すなわち、１周が３.０ｋｍのサークルを車が５５秒〜６４秒程度で走行する場合の速度は、図２に示すように、約１９６.３６ｋｍ／ｈ〜約１６８.７５ｋｍ／ｈである。
【００１７】
同様に、１周が３.５ｋｍのサークルを車が５５秒〜６４秒で走行する場合の速度は、図２に示すように、約２２９.０９ｋｍ／ｈ〜約１９６.８７ｋｍ／ｈであり、また、１周が３.９ｋｍのサークルを車が５５秒〜６４秒で走行する場合の速度は、約２５５.２７ｋｍ／ｈ〜約２１９.３７ｋｍ／ｈである。これにより、１周が３.０ｋｍ〜３.９ｋｍのサークルを車が５５秒〜６４秒で走行する場合の速度は、図２に示すように、約１６８.７５ｋｍ／ｈ〜約２５５.２７ｋｍ／ｈの範囲である。
【００１８】
このため、１周が３.０ｋｍのサークルを車が５５秒〜６４秒程度で走行する場合の速度は、図３にＡ線で示す曲線となり、１周が３.１ｋｍのサークルを車が５５秒〜６４秒程度で走行する場合の速度は、図３にＢ線で示す曲線となる。同様に、１周が３.２ｋｍ〜３.９ｋｍのサークルを車が５５秒〜６４秒程度で走行する場合の各速度は、図３にＣ線〜Ｊ線で示す各曲線となる。
【００１９】
この速度と時間の関係に基づいて、回転目盛板５には、図１に示すように、速度表示目盛部１４の速度目盛が所定間隔で印刷などにより設けられている。すなわち、速度表示目盛部１４の各速度目盛は、図１において、１４０（ｋｍ）〜３００（ｋｍ）の各目盛が回転目盛板５の円周に沿って設けられていると共に、速度が次第に速くなるに従って目盛の間隔が次第に狭くなるように約３００度の角度範囲内で設けられている。
【００２０】
つまり、この速度表示目盛部１４の速度目盛は、図１および図４に示すように、１４０（ｋｍ）と１６０（ｋｍ）との各目盛間隔が最も広い間隔（約７０度の角度）で、１６０（ｋｍ）と１８０（ｋｍ）との各目盛間隔が次に広い間隔（約５０度の角度）で、以下順次、目盛間隔が狭い間隔になり、２８０（ｋｍ）と３００（ｋｍ）との各目盛間隔が最も狭い間隔（約２０度の角度）になるように設けられている。
【００２１】
一方、見切板７における円周に沿う一部には、図１に示すように、速度表示目盛部１４の設置位置を微調整するための微調整目盛部である副目盛部１５が設けられている。この副目盛部１５は、予め設定する距離（例えば１周が３.０ｋｍ〜３.９ｋｍ）を正確に設定するためのものであり、予め設定する距離に対して１桁小さい単位（０.１ｋｍ）の距離を表す単位目盛が所定間隔で設けられている。すなわち、この副目盛部１５は、１周が３.０ｋｍ〜３.９ｋｍ程度である場合、その距離を０.１ｋｍの単位で設定するように、０.０（ｋｍ）〜０.９（ｋｍ）の各単位目盛が、１２時位置を中心にその両側に約３０度ずつの開き角度（全体で約６０度の角度）の範囲内で設けられている。
【００２２】
また、回転目盛板５には、図１に示すように、設定マーク１６が印刷などによって設けられている。この設定マーク１６は、回転目盛板５が回転して副目盛部１５のいずれかの単位目盛に対応することにより、測定する距離に応じて速度表示目盛部１４の設置位置を微調整して測定条件に合った位置に設定するように構成されている。すなわち、この設定マーク１６は、１周が３.０ｋｍ〜３.９ｋｍのサークルを車が５５秒〜６４秒で走行する場合の平均速度である約２１０（ｋｍ）の目盛位置に設けられ、回転目盛板５を回転させて見切板７の副目盛部１５のいずれかの単位目盛に対応させることにより、車の走行距離を正確に設定するように構成されている。
【００２３】
次に、図４〜図９を参照して、この多機能腕時計で１周が３.９ｋｍのサークルを車が走行する際の速度を測定する場合について説明する。
この場合には、図４に示すように、まず、腕時計ケース１の上部外周に回転可能に設けられたリング状の回転目盛板５を時計回り（図４の矢印方向）に回転させて、図５に示すように、回転目盛板５に設けられた設定マーク１６を文字板６の外周に設けられた見切板７の副目盛部１５における０.９（ｋｍ）の単位目盛に合わせる。
【００２４】
これにより、速度表示目盛部１４の設置位置が所定位置、つまり１周が３.９ｋｍのサークルを車が走行する際の速度測定に合った位置に微調整され、速度表示目盛部１４がセットされて速度を測定する準備が完了する。この状態で、サークル上を走行している車の位置（車のスタート位置に限らず、任意の位置で良い）を確認しながら、押釦スイッチ３のストップウオッチスイッチを操作すると、図５に示すように、指針１０のうち、秒針１１が１２時（０秒）の位置から運針を開始する。
【００２５】
そして、車がサークルを１周して、ストップウオッチスイッチを操作した位置に車が到達したときに、再びストップウオッチスイッチを操作して、秒針１１の運針を停止させる。このとき、図６に示すように、秒針１１が５２秒の位置で停止した場合には、この５２秒で停止した秒針１１が指示する回転目盛板５の速度表示目盛部１４の速度目盛（２６０の目盛）を読むことにより、１回目のラップ速度が約２６０ｋｍ／ｈであると測定することができる。このときには、秒針１１は１０秒間停止し、１０秒経過すると、図７に示すように、停止していた秒針１１が０秒位置に戻ってから、図８に示すように、１０秒間だけ早送りされ、この後、通常の運針速度で運針する。
【００２６】
この状態で、車が更に走行してサークルを２周し、ストップウオッチスイッチを最初に操作した位置に車が到達したときに、再びストップウオッチスイッチを操作して、秒針１１の運針を停止させる。このとき、図９に示すように、秒針１１が６２秒の位置で停止した場合には、この６２秒（図９では２秒の位置）で停止した秒針１１が指示する回転目盛板５の速度表示目盛部１４の速度目盛（２２０の目盛）を読むことにより、２回目のラップ速度が約２２０ｋｍ／ｈであると測定することができる。なお、押釦スイッチ３を操作して通常の時計モードに戻すと、秒針１１、分針１２、時針１３が通常運針して、現在時刻を指示する。
【００２７】
このように、この腕時計によれば、文字板６の上方を運針して時刻を指示する指針１０を備えた腕時計ケース１と、この腕時計ケース１の上部外周に回転可能に設けられ、且つその表面に速度表示目盛部１４が設けられた回転目盛板５と、腕時計ケース１の内周における見切板７の一部に設けられた副目盛部１５と、回転目盛板５が回転して副目盛部１５のいずれかの単位目盛に対応することにより、速度表示目盛部１４の設置位置を微調整して所定位置に設定するための設定マーク１６とを備えているので、速度表示目盛部１４を測定条件に合う位置に正確に且つ簡単に設定することができ、これにより速度を正確に測定することができる。
【００２８】
すなわち、この多機能腕時計によれば、腕時計ケース１の上部外周に回転可能に設けられた回転目盛板５を回転させて、腕時計ケースの内周における見切板７の一部に設けられた副目盛部１５のいずれかの単位目盛に設定マーク１６を合わせることにより、回転目盛板５に設けられた速度表示目盛部１４の設置位置を微調整して測定条件に合った位置に正確に且つ簡単に設置することができ、この状態で時刻を指示する指針１０の秒針１１を腕時計ケース１内の文字板６の上方で運針させ、この運針した秒針１１が回転目盛板５に設けられた速度表示目盛部１４の速度目盛を指示することにより、正確に且つ簡単に速度を測定することができる。
【００２９】
この場合、押釦スイッチ３のうち、いずれかの押釦スイッチ３が指針１０の秒針１１の運針開始と運針停止とを行うためのストップウオッチスイッチであることにより、使用者が測定を開始するタイミングを自由に選択することができる。すなわち、ストップウオッチスイッチを操作する際、必ずしも車がスタートする位置で操作する必要はなく、サークル上を走行している任意の位置で操作し、車がサークルを１周して操作地点と同じ地点に到達したときに、再度ストップウオッチスイッチを操作すれば良いので、使い勝手が良い。また、指針１０は、時刻を指示するための秒針１１、分針１２、時針１３の３針のみを備えていることにより、測定に必要な専用の指針を新たに設ける必要がなく、既存の構造をそのまま用いることができるので、構造が複雑にならず、低価格なものを提供することができる。
【００３０】
（実施形態２）
次に、図１０〜図１２を参照して、この発明を多機能腕時計に適用した実施形態２について説明する。なお、図１〜図９に示された実施形態１と同一部分には同一符号を付して説明する。
この多機能腕時計は、図１０に示すように、回転目盛板５に第１〜第３の各速度表示目盛部２０〜２２を同心円上に設けた構成であり、これ以外は実施形態１とほぼ同じ構成になっている。
【００３１】
すなわち、第１〜第３の各速度表示目盛部２０〜２２は、図１０に示すように、異なる走行距離ごとの速度目盛が同心円上にそれぞれ印刷などによって設けられた構成になっている。例えば、第１速度表示目盛部２０は、実施形態１と同様、１周が３.０ｋｍ〜３.９ｋｍ程度のサークルを車が５５秒〜６４秒程度で走行する自動車のサーキットレースを想定して、速度目盛が所定間隔で回転目盛板５の最も内周側に設けられている。
【００３２】
この場合にも、第１速度表示目盛部２０の各速度目盛は、実施形態１と同様、１４０（ｋｍ）〜３００（ｋｍ）の各目盛が回転目盛板５の円周に沿って設けられていると共に、速度が次第に速くなるに従って目盛間隔が次第に狭くなるように約３００度の角度範囲内で設けられている。つまり、この第１速度表示目盛部２０の速度目盛は、図１０に示すように、１４０（ｋｍ）と１６０（ｋｍ）との目盛間隔が最も広い間隔（約７０度の角度）で、１６０（ｋｍ）と１８０（ｋｍ）との目盛間隔が次に広い間隔（約５０度の角度）で、以下順次、目盛間隔が狭い間隔になり、２８０（ｋｍ）と３００（ｋｍ）との目盛間隔が最も狭い間隔（約２０度の角度）になるように設けられている。
【００３３】
一方、第２速度表示目盛部２１は、図１０に示すように、１周が４.０ｋｍ〜４.９ｋｍ程度のサークルを車が約１６０ｋｍ／ｈ〜約３００ｋｍ／ｈ程度の速度で走行する自動車のサーキットレースを想定して、速度目盛が所定間隔で設けられている。すなわち、この第２速度表示目盛部２１は、図１０において、１６０（ｋｍ）〜３００（ｋｍ）の各目盛が第１速度表示目盛部２０の各速度目盛に対して約１０２度の角度だけ時計回りにずれた状態で、回転目盛板５の内周と外周との間の中間に位置する円周に沿って設けられている。
【００３４】
つまり、この第２速度表示目盛部２１は、１周が４.５ｋｍ程度のサークルを車が平均速度、約２１０ｋｍ／ｈ程度で走行すると、約７７秒の時間がかかるため、第１速度表示目盛部２０の各速度目盛に対して第２速度表示目盛部２１の各速度目盛が約１７秒（＝７７秒―６０秒、つまり角度で１０２度の角度）ずれる必要がある。また、この第２速度表示目盛部２１の各速度目盛は、第１速度表示目盛部２０と同様、速度が次第に速くなるに従って目盛間隔が次第に狭くなるように約２８０度の角度範囲内で設けられている。
【００３５】
すなわち、この第２速度表示目盛部２１の速度目盛も、図１０に示すように、１６０（ｋｍ）と１８０（ｋｍ）との目盛間隔が最も広い間隔（約７０度の角度）で、１８０（ｋｍ）と２００（ｋｍ）との目盛間隔が次に広い間隔（約５０度の角度）で、以下順次、目盛間隔が狭い間隔になり、２８０（ｋｍ）と３００（ｋｍ）との目盛間隔が最も狭い間隔（約２０度の角度）になるように設けられている。
【００３６】
さらに、第３速度表示目盛部２２は、図１０に示すように、１周が５.０ｋｍ〜５.９ｋｍ程度のサークルを車が１６０ｋｍ／ｈ〜３４０ｋｍ／ｈ程度の速度で走行する自動車のサーキットレースを想定して、速度目盛が所定間隔で設けられている。すなわち、この第３速度表示目盛部２２は、図１０において、１６０（ｋｍ）〜３４０（ｋｍ）の各目盛が第１速度表示目盛部２０の各速度目盛に対して約２０４度の角度だけ時計回りにずれた状態、つまり第２速度表示目盛部２１に対して約１０２度の角度だけ時計回りにずれた状態で、回転目盛板５の外周側に設けられている。
【００３７】
つまり、この第３速度表示目盛部２２は、１周が５.５ｋｍ程度のサークルを車が平均速度、約２１０ｋｍ／ｈ程度で走行すると、約９４秒の時間がかかるため、第１速度表示目盛部２０の各速度目盛に対して各速度目盛が約３４秒（＝９４秒―６０秒、つまり角度で２０４度の角度）ずれる必要がある。また、この第３速度表示目盛部２２の各速度目盛は、第１速度表示目盛部２０と同様、速度が次第に速くなるに従って目盛間隔が次第に狭くなるように約４２０度の角度範囲内で設けられている。
【００３８】
すなわち、この第３速度表示目盛部２２の速度目盛も、１６０（ｋｍ）と１８０（ｋｍ）との目盛間隔が最も広い間隔（約９０度の角度）で、１８０（ｋｍ）と２００（ｋｍ）との目盛間隔が次に広い間隔（約７０度の角度）で、以下順次、目盛間隔が狭い間隔になり、３２０（ｋｍ）と３４０（ｋｍ）との目盛間隔が最も狭い間隔（約２０度の角度）になるように設けられている。
【００３９】
この場合、１６０（ｋｍ）の目盛と３００（ｋｍ）の目盛とは、相互に接近して設けられており、３１０（ｋｍ）〜３４０（ｋｍ）の各目盛は、１６０（ｋｍ）〜１７０（ｋｍ）の各目盛と重なった状態で設けられている。また、第１〜第３の各速度表示目盛部２０〜２２は、それぞれ異なる色で表示されていることが望ましい。例えば、第１速度表示目盛部２０は赤色で表示され、第２速度表示目盛部２１は緑色で表示され、第３速度表示目盛部２２は青色で表示されていることが望ましい。
【００４０】
ところで、見切板７の円周に沿う一部には、実施形態１と同様、微調整目盛部である副目盛部１５が印刷などによって設けられている。この副目盛部１５も、第１〜第３の各速度表示目盛部２０〜２２の設置位置を微調整するための単位目盛が所定間隔で設けられている。すなわち、この副目盛部１５は、予め設定する距離（例えば１周が３.０ｋｍ〜５.９ｋｍ）を正確に設定するためのものであり、図１０に示すように、１周が３.０ｋｍ〜５.９ｋｍ程度である場合、その距離を０.１ｋｍの単位で設定するように、０.０（ｋｍ）〜０.９（ｋｍ）の各単位目盛が、１２時位置を中心にその両側に３０度ずつの開き角度（全体で約６０度の角度）の範囲内で設けられている。
【００４１】
また、この回転目盛板５にも、図１０に示すように、設定マーク２３が印刷などによって設けられている。この設定マーク２３も、回転目盛板５を回転させて副目盛部１５のいずれかの単位目盛に対応することにより、測定する距離に応じて第１〜第３の各速度表示目盛部２０〜２２の設置位置を微調整して測定条件に合った位置に設定するように構成されている。
【００４２】
すなわち、この設定マーク２３は、第１速度表示目盛部２０における平均速度である約２１０（ｋｍ／ｈ）の目盛位置、この第１速度表示目盛部２０の目盛位置に対して１０２度の角度だけずれた第２速度表示目盛部２１における約２７０（ｋｍ／ｈ）の目盛位置、この第２速度表示目盛部２１の目盛位置に対して更に１０２度の角度だけずれた第３速度表示目盛部２２における約３３０（ｋｍ／ｈ）の目盛位置（またはこれに重なる約１６５（ｋｍ／ｈ）の目盛位置）で、これら全ての目盛位置に対応して設けられ、回転目盛板５を回転させて見切板７の副目盛部１５のいずれかの単位目盛に対応させることにより、車の走行距離を正確に設定するように構成されている。
【００４３】
次に、図１０〜図１２を参照して、この多機能腕時計でサークルを車が走行する際の速度を測定する場合について説明する。
まず、１周が３.７ｋｍのサークルを車が走行する際の速度を測定する場合には、実施形態１と同様、リング状の回転目盛板５を時計回り（図１１の矢印方向）に回転させて、図１１に示すように、回転目盛板５に設けられた設定マーク２３を文字板６の外周に設けられた見切板７の副目盛部１５の０.７（ｋｍ）に対応する単位目盛に合わせる。
【００４４】
これにより、第１速度表示目盛部２０の設置位置が所定位置、つまり１周が３.７ｋｍのサークルを車が走行する際の速度測定に合った位置に微調整され、第１速度表示目盛部２０がセットされて速度を測定する準備が完了する。この状態で、サークル上を走行している車の位置（車のスタート位置に限らず、任意の位置で良い）を確認しながら、押釦スイッチ３のストップウオッチスイッチを操作すると、図１１に示すように、指針１０のうち、秒針１１が１２時（０秒）の位置から運針を開始する。
【００４５】
そして、車がサークルを１周して、ストップウオッチスイッチを操作した位置に車が到達したときに、再びストップウオッチスイッチを操作して、秒針１１の運針を停止させる。このときに、図１２に示すように、秒針１１が６４秒運針して停止した場合には、この６４秒（図１２では４秒の位置）で停止した秒針１１が指示する回転目盛板５の第１速度表示目盛部２０の速度目盛（２００〜２２０の間の目盛）を読むことにより、１周が３.７ｋｍのサークルを走行する車の１回目のラップ速度が約２１５ｋｍ／ｈであると測定することができる。
【００４６】
このときにも、秒針１１は、実施形態１と同様、１０秒間停止し、１０秒経過すると、停止していた秒針１１が０秒位置に戻ってから１０秒間だけ早送りされた後、通常の運針速度で運針する。そして、車が更に走行してサークルを２周し、ストップウオッチスイッチを最初に操作した位置に車が到達したときに、再びストップウオッチスイッチを操作して、秒針１１の運針を停止させる。この停止した秒針１１が指示する回転目盛板５の第１速度表示目盛部２０の速度目盛を読むことにより、１周が３.７ｋｍのサークルを走行する車の２周目のラップ速度を測定することができる。
【００４７】
次に、１周が４.７ｋｍのサークルを車が走行する際の速度を測定する場合について説明する。このときにも、上記と同様、リング状の回転目盛板５を回転させて、図１１に示すように、回転目盛板５に設けられた設定マーク２３を文字板６の外周に設けられた見切板７の副目盛部１５の０.７（ｋｍ）に対応する単位目盛に合わせる。これにより、第２速度表示目盛部２１の設置位置が所定位置、つまり１周が４.７ｋｍのサークルを車が走行する際の速度測定に合った位置に微調整され、第２速度表示目盛部２１がセットされて速度を測定する準備が完了する。
【００４８】
この状態で、サークル上を走行している車の位置を確認しながら、押釦スイッチ３のストップウオッチスイッチを操作すると、図１１に示すように、指針１０のうち、秒針１１が１２時（０秒）の位置から運針を開始する。そして、車がサークルを１周して、ストップウオッチスイッチを操作した位置に車が到達したときに、再びストップウオッチスイッチを操作して、秒針１１の運針を停止させる。このときに、図１２に示すように、秒針１１が６４秒運針して停止した場合には、この６４秒（図１２では４秒の位置）で停止した秒針１１が指示する回転目盛板５の第２速度表示目盛部２１の速度目盛（２６０の目盛）を読むことにより、１周が４.７ｋｍのサークルを走行する車の１回目のラップ速度が約２６０ｋｍ／ｈであると測定することができる。
【００４９】
このときにも、秒針１１は１０秒間停止し、１０秒経過すると、停止していた秒針１１が０秒位置に戻ってから１０秒間だけ早送りされた後、通常の運針速度で運針する。そして、車が更に走行してサークルを２周し、ストップウオッチスイッチを最初に操作した位置に車が到達したときに、再びストップウオッチスイッチを操作して、秒針１１の運針を停止させる。この停止した秒針１１が指示する回転目盛板５の第２速度表示目盛部２１の速度目盛を読むことにより、１周が４.７ｋｍのサークルを走行する車の２周目のラップ速度を測定することができる。
【００５０】
次に、１周が５.７ｋｍのサークルを車が走行する際の速度を測定する場合について説明する。このときにも、上記と同様、リング状の回転目盛板５を回転させて、図１１に示すように、回転目盛板５に設けられた設定マーク２３を文字板６の外周に設けられた見切板７の副目盛部１５の０.７（ｋｍ）に対応する単位目盛に合わせる。これにより、第３速度表示目盛部２２の位置が所定位置、つまり１周が５.７ｋｍのサークルを車が走行する際の速度測定に合った位置に微調整され、第３速度表示目盛部２２がセットされて速度を測定する準備が完了する。
【００５１】
この状態で、サークル上を走行している車の位置を確認しながら、押釦スイッチ３のストップウオッチスイッチを操作すると、図１１に示すように、指針１０のうち、秒針１１が１２時（０秒）の位置から運針を開始する。そして、車がサークルを１周して、ストップウオッチスイッチを操作した位置に車が到達したときに、再びストップウオッチスイッチを操作して、図１２に示すように、秒針１１の運針を停止させる。
【００５２】
このときに、秒針１１が６４秒運針して停止した場合には、この６４秒（図１２では４秒の位置）で停止した秒針１１が指示する回転目盛板５の第３速度表示目盛部２２の速度目盛（３２０の目盛）を読むことにより、１周が５.７ｋｍのサークルを走行する車の１回目のラップ速度が約３２０ｋｍ／ｈであると測定することができる。なお、秒針１１が１２４秒（つまり２周以上）運針して停止したときには、１６０ｋｍ／ｈ〜１８０ｋｍ／ｈの間の目盛に対応する速度目盛（約１７５ｋｍ／ｈ）を読めば良い。
【００５３】
このときにも、秒針１１は１０秒間停止し、１０秒経過すると、停止していた秒針１１が０秒位置に戻ってから１０秒間だけ早送りされた後、通常の運針速度で運針する。そして、車が更に走行してサークルを２周し、ストップウオッチスイッチを最初に操作した位置に車が到達したときに、再びストップウオッチスイッチを操作して、秒針１１の運針を停止させる。この停止した秒針１１が指示する回転目盛板５の第３速度表示目盛部２２の速度目盛を読むことにより、１周が５.７ｋｍのサークルを走行する車の２周目のラップ速度を測定することができる。
【００５４】
このように、この多機能腕時計によれば、実施形態１と同様の作用効果があるほか、回転目盛板５に、それぞれ異なる距離ごとの速度目盛が同心円上に沿って表示された第１〜第３の各速度表示目盛部２０〜２２を設けた構成であることにより、１周が３.０ｋｍ〜３.９ｋｍのサークルを走行する車の速度、１周が４.０ｋｍ〜４.９ｋｍのサークルを走行する車の速度、および１周が５.０ｋｍ〜５.９ｋｍのサークルを走行する車の速度を測定する際、実施形態１と同様、第１〜第３の各速度表示目盛部２０〜２１をそれぞれ異なる距離ごとの測定条件に合う位置に正確に且つ簡単に設定することができ、これにより異なる距離ごとの速度をそれぞれ正確に且つ簡単に測定することができる。
【００５５】
この場合、第１〜第３の各速度表示目盛部２０〜２２は、それぞれ異なる色で表示されていることにより、回転目盛板５に同心円上に沿って第１〜第３の各速度表示目盛部２０〜２２が設けられていても、指針１０の秒針１１が指示する第１〜第３の各速度表示目盛部２０〜２２の各速度目盛を読みる際、第１〜第３の各速度表示目盛部２０〜２２のうち、所望するいずれかの目盛部の速度目盛を良好に見分けることができ、これにより正確に速度を読み取ることができる。
【００５６】
なお、上記実施形態２では、回転目盛板５に第１〜第３の各速度表示目盛部２０〜２２を設けた場合について述べたが、これに限らず、例えば図１３に示すように、回転目盛板５に、距離の単位がキロメートルの速度目盛が表示された第１速度表示目盛部２５と、距離の単位がマイルの速度目盛が表示された第２速度表示目盛部２６を設けた構成でも良い。このように構成すれば、第１速度表示目盛部２５で距離の単位がキロメートルで表された速度と、第２速度表示目盛部２６で距離の単位がマイルで表された速度との両方を知ることができる。
【００５７】
（実施形態３）
次に、図１４〜図２０を参照して、この発明を多機能腕時計に適用した実施形態３について説明する。この場合にも、図１〜図９に示された実施形態１と同一部分に同一符号を付して説明する。
この多機能腕時計は、図１４に示すように、回転目盛板３０がそれぞれ独立して回転する第１〜第３の各回転目盛リング３１〜３３を備えており、この第１〜第３の各回転目盛リング３１〜３３に、それぞれ異なる距離ごとの速度目盛が表示された第１〜第３の各速度表示目盛部３４〜３６と、第１〜第３の各設定マーク３７〜３９とを設けた構成であり、これ以外は実施形態１とほぼ同じ構成になっている。
【００５８】
すなわち、第１回転目盛リング３１は、図１４に示すように、時計ガラス４の外周に最も接近する内側に位置した状態で、腕時計ケース１の上部外周に回転可能に設けられている。この第１回転目盛リング３１の表面には、第１速度表示目盛部３４が印刷などによって設けられている。この第１速度表示目盛部３４は、実施形態１と同様、１周が３.０ｋｍ〜３.９ｋｍ程度のサークルを車が５５秒〜６４秒程度で走行する自動車のサーキットレースを想定して、速度目盛が所定間隔で設けられている。
【００５９】
この第１速度表示目盛部３４の各速度目盛は、図１４に示すように、１４０（ｋｍ）〜３００（ｋｍ）の各目盛が第１回転目盛リング３１の円周に沿って設けられていると共に、速度が次第に速くなるに従って目盛間隔が次第に狭くなるように約３００度の角度範囲内で設けられている。つまり、この第１速度表示目盛部３４の速度目盛は、実施形態１と同様、１４０（ｋｍ）と１６０（ｋｍ）との目盛間隔が最も広い間隔（約７０度の角度）で、１６０（ｋｍ）と１８０（ｋｍ）との目盛間隔が次に広い間隔（約５０度の角度）で、以下順次、目盛間隔が狭い間隔になり、２８０（ｋｍ）と３００（ｋｍ）との目盛間隔が最も狭い間隔（約２０度の角度）になるように設けられている。
【００６０】
この第１回転目盛リング３１には、図１４に示すように、第１設定マーク３７が印刷などによって設けられている。この第１設定マーク３７は、第１回転目盛リング３１を回転させて見切板７に設けられた微調整目盛部である副目盛部１５のいずれかの単位目盛に対応することにより、測定する距離に応じて第１速度表示目盛部３４の設置位置を微調整して測定条件に合った位置に設定するように構成されている。すなわち、この第１設定マーク３７は、第１速度表示目盛部３４における平均速度である約２１０ｋｍ／ｈの目盛位置に設けられ、第１回転目盛リング３１を回転させて見切板７の副目盛部１５のいずれかの単位目盛に対応することにより、車の走行距離を正確に設定するように構成されている。
【００６１】
一方、第２回転目盛リング３２は、図１４に示すように、第１回転目盛リング３１と第３回転目盛リング３３との間の中間部分に位置した状態で、腕時計ケース１の上部外周に回転可能に設けられている。この第２回転目盛リング３２の表面には、第２速度表示目盛部３５が印刷などによって設けられている。この第２速度表示目盛部３５は、１周が４.０ｋｍ〜４.９ｋｍ程度のサークルを車が１６０ｋｍ／ｈ〜３００ｋｍ／ｈ秒程度の速度で走行する自動車のサーキットレースを想定して、速度目盛が所定間隔で設けられている。
【００６２】
この第２速度表示目盛部３５の各速度目盛は、第１速度表示目盛部３４と同様、速度が次第に速くなるに従って目盛間隔が次第に狭くなるように約２８０度の角度範囲内で設けられている。すなわち、この第２速度表示目盛部３５の速度目盛も、１６０（ｋｍ）と１８０（ｋｍ）との目盛間隔が最も広い間隔（約７０度の角度）で、１８０（ｋｍ）と２００（ｋｍ）との目盛間隔が次に広い間隔（約５０度の角度）で、以下順次、目盛間隔が狭い間隔になり、２８０（ｋｍ）と３００（ｋｍ）との目盛間隔が最も狭い間隔（約２０度の角度）になるように設けられている。
【００６３】
また、この第２回転目盛リング３２にも、図１４に示すように、第２設定マーク３８が印刷などによって設けられている。この第２設定マーク３８は、第２回転目盛リング３２を回転させて見切板７に設けられた微調整目盛部である副目盛部１５のいずれかの単位目盛に対応することにより、測定する距離に応じて第２速度表示目盛部３５の設置位置を微調整して測定条件に合った位置に設定するように構成されている。
【００６４】
すなわち、第２速度表示目盛部３５は、１６０（ｋｍ）〜３００（ｋｍ）の各目盛が第１速度表示目盛部３４の各速度目盛に対して約１０２度の角度だけ時計回りにずれる必要がある。つまり、この第２速度表示目盛部３５は、１周が４.５ｋｍ程度のサークルを車が平均速度、約２１０ｋｍ／ｈ程度で走行すると、約７７秒の時間がかかるため、第１速度表示目盛部３４の各速度目盛に対して第２速度表示目盛部３５の各速度目盛が約１７秒（＝７７秒―６０秒、つまり角度で１０２度の角度）だけ時計回りにずれる必要がある。
【００６５】
これに伴って、第２設定マーク３８は、図１４に示すように、第２速度表示目盛部３５における約２７０ｋｍ／ｈの目盛位置に設けられ、第２回転目盛リング３２を回転させて見切板７の副目盛部１５のいずれかの単位目盛に対応することにより、１周が４.０〜４.５ｋｍのサークルを車が走行する際に、その走行距離に合うように第２回転目盛リング３２の設置位置を正確に設定するように構成されている。
【００６６】
さらに、第３回転目盛リング３３は、図１４に示すように、第２回転目盛リング３２の外周に接近する最も外周側に位置した状態で、腕時計ケース１の上部外周に回転可能に設けられている。この第３回転目盛リング３３の表面には、第３速度表示目盛部３６が印刷などによって設けられている。この第３速度表示目盛部３６は、１周が５.０ｋｍ〜５.９ｋｍ程度のサークルを車が１６０ｋｍ／ｈ〜３４０ｋｍ／ｈ秒程度の速度で走行する自動車のサーキットレースを想定して、速度目盛が所定間隔で設けられている。この第３速度表示目盛部３６の各速度目盛は、図１４に示すように、速度が次第に速くなるに従って目盛間隔が次第に狭くなるように約４２０度の角度範囲内で設けられている。
【００６７】
すなわち、この第３速度表示目盛部３６の速度目盛は、１６０（ｋｍ）と１８０（ｋｍ）との目盛間隔が最も広い間隔（約９０度の角度）で、１８０（ｋｍ）と２００（ｋｍ）との目盛間隔が次に広い間隔（約７０度の角度）で、以下順次、目盛間隔が狭い間隔になり、３２０（ｋｍ）と３４０（ｋｍ）との目盛間隔が最も狭い間隔（約２０度の角度）になるように設けられている。この場合、１６０（ｋｍ）の目盛と３００（ｋｍ）の目盛とは、相互に接近して設けられており、３１０（ｋｍ）〜３４０（ｋｍ）の各目盛は、１６０（ｋｍ）〜１７０（ｋｍ）の各目盛と重なった状態で設けられている。
【００６８】
この第３回転目盛リング３３にも、図１４に示すように、第３設定マーク３９が印刷などによって設けられている。この第３設定マーク３９は、第３回転目盛リング３３を回転させて見切板７に設けられた微調整目盛部である副目盛部１５のいずれかの単位目盛に対応することにより、測定する距離に応じて第３速度表示目盛部３６の設置位置を微調整して測定条件に合った位置に設定するように構成されている。
【００６９】
すなわち、第３速度表示目盛部３６は、１６０（ｋｍ）〜３４０（ｋｍ）の各目盛が第１速度表示目盛部３４の各速度目盛に対して約２０４度の角度だけ時計回りにずれると共に、第２速度表示目盛部３５に対して約１０２度の角度だけ時計回りにずれる必要がある。つまり、この第３速度表示目盛部３６は、１周が５.５ｋｍ程度のサークルを車が平均速度、約２１０ｋｍ／ｈ程度で走行すると、約９４秒の時間がかかるため、第１速度表示目盛部２０の各速度目盛に対して各速度目盛が約３４秒（＝９４秒―６０秒、つまり角度で２０４度の角度）ずれる必要がある。
【００７０】
これに伴って、第３設定マーク３９は、図１４に示すように、第３速度表示目盛部３６における約３３０ｋｍ／ｈの目盛位置に設けられ、第３回転目盛リング３３を回転させて見切板７の副目盛部１５のいずれかの単位目盛に対応することにより、１周が５.０〜５.５ｋｍのサークルを車が走行する際に、その走行距離に合うように第３回転目盛リング３３の設置位置を正確に設定するように構成されている。この場合、第１〜第３の各回転目盛リング３１〜３３は、それぞれ異なる色で着色されていることが望ましい。例えば、第１回転目盛リング３１は赤色で着色され、第２回転目盛リング３２は緑色で着色され、第３回転目盛リング３３は青色で着色されていることが望ましい。
【００７１】
次に、図１５〜図２０を参照して、この多機能腕時計でサークルを車が走行する際における速度を測定する場合について説明する。
まず、１周が３.５ｋｍのサークルを車が走行する際の速度を測定する場合には、回転目盛板３０の第１回転目盛リング３１を時計回り（図１５の矢印方向）に回転させて、図１５に示すように、第１回転目盛リング３１に設けられた第１設定マーク３７を文字板６の外周に設けられた見切板７の副目盛部１５における０.５（ｋｍ）の単位目盛に合わせる。
【００７２】
これにより、第１速度表示目盛部３４の設置位置が所定位置、つまり１周が３.５ｋｍのサークルを車が走行する際の速度測定に合った位置に微調整されて、第１速度表示目盛部３４がセットされる。このときには、図１５に示すように、第２、第３の各回転目盛リング３２、３３を反時計回り（図１５の矢印方向と反対方向）に回転させて、第２、第３の各設定マーク３８、３９を副目盛部１５から離れた位置にセットしておくことが望ましい。これにより、速度を測定する準備が完了する。
【００７３】
この状態で、サークル上を走行している車の位置（車のスタート位置に限らず、任意の位置で良い）を確認しながら、押釦スイッチ３のストップウオッチスイッチを操作すると、図１５に示すように、指針１０のうち、秒針１１が１２時（０秒）の位置から運針を開始する。そして、車がサークルを１周して、ストップウオッチスイッチを操作した位置に車が到達したときに、再びストップウオッチスイッチを操作して、図１６に示すように、秒針１１の運針を停止させる。
【００７４】
このときに、秒針１１が６３秒運針して停止した場合には、この６３秒（図１６では３秒の位置）で停止した秒針１１が指示する第１回転目盛リング３１の第１速度表示目盛部３４の速度目盛（２００の目盛）を読むことにより、１周が３.５ｋｍのサークルを走行する車の１回目のラップ速度が約２００ｋｍ／ｈであると測定することができる。このときにも、秒針１１は１０秒間停止し、１０秒経過すると、停止していた秒針１１が０秒位置に戻ってから１０秒間だけ早送りされた後、通常の運針速度で運針する。
【００７５】
そして、車が更に走行してサークルを２周し、ストップウオッチスイッチを最初に操作した位置に車が到達したときに、再びストップウオッチスイッチを操作して、秒針１１の運針を停止させる。この停止した秒針１１が指示する第１回転目盛リング３１の第１速度表示目盛部３４の速度目盛を読むことにより、１周が３.５ｋｍのサークルを走行する車の２回目のラップ速度を測定することができる。
【００７６】
次に、１周が４.５ｋｍのサークルを車が走行する際の速度を測定する場合について説明する。このときにも、上記と同様、回転目盛板３０の第２回転目盛リング３２を時計回り（図１７の矢印方向）に回転させて、図１７に示すように、第２回転目盛リング３２に設けられた第２設定マーク３８を文字板６の外周に設けられた見切板７の副目盛部１５の０.５（ｋｍ）に対応する単位目盛に合わせる。
【００７７】
これにより、第２速度表示目盛部３５の設置位置が所定位置、つまり１周が４.５ｋｍのサークルを車が走行する際の速度測定に合った位置に微調整されて、第２速度表示目盛部３５がセットされる。このときにも、図１７に示すように、第１、第３の各回転目盛リング３１、３３を反時計回り（図１７の矢印方向と反対方向）に回転させて、第１、第３の各設定マーク３７、３９を副目盛部１５から離れた位置にセットしておくことが望ましい。これにより、速度を測定する準備が完了する。
【００７８】
この状態で、サークル上を走行している車の位置を確認しながら、押釦スイッチ３のストップウオッチスイッチを操作すると、図１７に示すように、指針１０のうち、秒針１１が１２時（０秒）の位置から運針を開始する。そして、車がサークルを１周して、ストップウオッチスイッチを操作した位置に車が到達したときに、再びストップウオッチスイッチを操作して、図１８に示すように、秒針１１の運針を停止させる。このときに、秒針１１が６２秒運針して停止した場合には、この６２秒（図１８では２秒の位置）で停止した秒針１１が指示する第２回転目盛リング３２の第２速度表示目盛部３５の速度目盛（２６０の目盛）を読むことにより、１周が４.５ｋｍのサークルを走行する車の１回目のラップ速度が約２６０ｋｍ／ｈであると測定することができる。
【００７９】
このときにも、秒針１１は１０秒間停止し、１０秒経過すると、停止していた秒針１１が０秒位置に戻ってから１０秒間だけ早送りされた後、通常の運針速度で運針する。そして、車が更に走行してサークルを２周し、ストップウオッチスイッチを最初に操作した位置に車が到達したときに、再びストップウオッチスイッチを操作して、秒針１１の運針を停止させる。この停止した秒針１１が指示する第２回転目盛リング３２の第２速度表示目盛部３５の速度目盛を読むことにより、１周が４.５ｋｍのサークルを走行する車の２回目のラップ速度を測定することができる。
【００８０】
次に、１周が５.５ｋｍのサークルを車が走行する際の速度を測定する場合について説明する。このときにも、上記と同様、回転目盛板３０の第３回転目盛リング３３を時計回り（図１９の矢印方向）に回転させて、図１９に示すように、第３回転目盛リング３３に設けられた第３設定マーク３９を文字板６の外周に設けられた見切板７の副目盛部１５のいずれかの単位目盛の０.５（ｋｍ）に合わせる。
【００８１】
これにより、第３速度表示目盛部３６の設置位置が所定位置、つまり１周が５.５ｋｍのサークルを車が走行する際の速度測定に合った位置に微調整されて、第３速度表示目盛部３６がセットされる。このときにも、図１９に示すように、第１、第２の各回転目盛リング３１、３２を反時計回り（図１９の矢印方向と反対方向）に回転させて、第１、第２の各設定マーク３７、３８を副目盛部１５から離れた位置にセットしておくことが望ましい。これにより、速度を測定する準備が完了する。
【００８２】
この状態で、サークル上を走行している車の位置を確認しながら、押釦スイッチ３のストップウオッチスイッチを操作すると、図１９に示すように、指針１０のうち、秒針１１が１２時（０秒）の位置から運針を開始する。そして、車がサークルを１周して、ストップウオッチスイッチを操作した位置に車が到達したときに、再びストップウオッチスイッチを操作して、図２０に示すように、秒針１１の運針を停止させる。
【００８３】
このときに、秒針１１が６１秒運針して停止した場合には、この６１秒（図２０では１秒の位置）で停止した秒針１１が指示する第３回転目盛リング３３の第３速度表示目盛部３６の速度目盛（３２０の目盛）を読むことにより、１周が５.５ｋｍのサークルを走行する車の１回目のラップ速度が約３２０ｋｍ／ｈであると測定することができる。なお、秒針１１が１２１秒（つまり２周以上）運針したときには、１６０〜１８０の間の目盛に対応する速度目盛（約１７５ｋｍ／ｈ）を読めば良い。
【００８４】
このときにも、秒針１１は１０秒間停止し、１０秒経過すると、停止していた秒針１１が０秒位置に戻ってから１０秒間だけ早送りされた後、通常の運針速度で運針する。そして、車が更に走行してサークルを２周し、ストップウオッチスイッチを最初に操作した位置に車が到達したときに、再びストップウオッチスイッチを操作して、秒針１１の運針を停止させる。この停止した秒針１１が指示する第３回転目盛リング３３の第３速度表示目盛部３６の速度目盛を読むことにより、１周が５.５ｋｍのサークルを走行する車の２回目のラップ速度を測定することができる。
【００８５】
このように、この多機能腕時計によれば、実施形態１と同様の作用効果があるほか、回転目盛板３０がそれぞれ独立して回転する第１〜第３の各回転目盛リング３１〜３３を備え、この第１〜第３の各回転目盛リング３１〜３３に、それぞれ異なる距離、例えば３ｋｍ、４ｋｍ、５ｋｍごとの速度目盛が表示された第１〜第３の各速度表示目盛部３４〜３６と、第１〜第３の各設定マーク３７〜３９とが設けられていることにより、１周が３.０ｋｍ〜３.９ｋｍのサークルを走行する車の速度、１周が４.０ｋｍ〜４.９ｋｍのサークルを走行する車の速度、および５.０ｋｍ〜５.９ｋｍのサークルを走行する車の速度をそれぞれ個別に測定することができると共に、正確に且つ簡単に測定することができる。
【００８６】
この場合、第１回転目盛リング３１の第１速度表示目盛部３４で速度を読み取る場合には、第１設定マーク３７を副目盛部１５のいずれかの目盛に合わせた状態で、第２、第３の各回転目盛リング３２、３３の第２、第３の各設定マーク３８、３９を副目盛部１５から離れた位置にセットしておくことにより、第１速度表示目盛部３４の速度目盛を良好に見分けることができ、これにより第１速度表示目盛部３４によって速度を正確に読み取ることができる。
【００８７】
同様に、第２、第３の各回転目盛リング３２、３３の第２、第３速度表示目盛部３５、３６で速度を読み取る場合にも、第２、第３設定マーク３８、３９をそれぞれ副目盛部１５のいずれかの目盛に合わせ、これ以外の第１〜第３の各回転目盛リング３１〜３３の各設定マーク３７〜３９を副目盛部１５から離れた位置にセットしておくことにより、第２、第３の各速度表示目盛部３５、３６の各速度目盛を良好に見分けることができ、これにより第２、第３の各速度表示目盛部３５、３６によって速度を正確に読み取ることができる。
【００８８】
また、この場合にも、第１〜第３の各回転目盛リング３１〜３３は、それぞれ異なる色で着色されていることにより、回転目盛板３０がそれぞれ独立して回転する第１〜第３の各回転目盛リング３１〜３３を備え、この第１〜第３の各回転目盛リング３１〜３３に、それぞれ異なる速度目盛が表示された第１〜第３の各速度表示目盛部３４〜３６と、第１〜第３の各設定マーク３７〜３９とが設けられていても、指針１０の秒針１１が指示する第１〜第３の各速度表示目盛部３４〜３６の各速度目盛を読みる際、第１〜第３の各速度表示目盛部３４〜３６のうち、所望するいずれかの目盛部の速度目盛を良好に見分けることができ、これによっても速度を正確に読み取ることができる。
【００８９】
なお、上記実施形態１〜３では、１つの秒針１１を運針させて１台の車の速度を測定する場合について述べたが、これに限らず、例えば図２１に示す変形例のように、２つの秒針１１ａ、１１ｂを設けると共に、複数の押釦スイッチ３のいずれか２つをストップウオッチスイッチに構成し、２台の車の速度をそれぞれ測定するように構成しても良い。このように構成すれば、２台の車の速度を同時に測定することができる。
【００９０】
すなわち、１台目の車がスタートしたら第１のストップウオッチスイッチを操作して第１の秒針１１ａを運針させ、２台目の車がスタートしたら第２のストップウオッチスイッチを操作して第２の秒針１１ｂを運針させる。この状態で、１台目の車がサークルを１周したら第１のストップウオッチスイッチを操作して第１の秒針１１ａを停止させることにより、１台目の車の速度を測定することができる。また、２台目の車がサークルを１周したら第２のストップウオッチスイッチを操作して第２の秒針１１ｂを停止させることにより、２台目の車の速度を測定することができる。
【００９１】
この場合、1台目の車が走行する距離が例えば３.５ｋｍで、２台目の車が走行する距離が例えば４.７ｋｍで、両者の走行距離が異なっている場合には、実施形態２、３で述べたように、回転目盛板５に複数の速度表示目盛部（２０〜２２）を同心円上に設けた構造、または回転目盛板３０を多重の回転目の離リング（３１〜３３）で構成した構造であることにより、複数の速度表示目盛部（２０〜２２、３４〜３６）のうち、走行距離に合った速度表示目盛部の速度目盛を読むことにより、２台の車の各速度を正確に且つ簡単に測定することができる。
【００９２】
（実施形態４）
次に、図２２〜図２５を参照して、この発明を多機能腕時計に適用した実施形態４について説明する。この場合にも、図１〜図９に示された実施形態１と同一部分には同一符号を付して説明する。
この多機能腕時計は、図２２に示すように、使用者が所定時間歩いた際の歩数を測定する歩数計を備えた構成であり、これ以外は実施形態１とほぼ同じ構成になっている。
【００９３】
すなわち、腕時計ケース１の上部外周に回転可能に設けられた回転目盛板５の表面には、図２２に示すように、歩数を表す歩数目盛が表示された歩数表示目盛部４０が円周に沿って印刷などにより設けられている。この歩数表示目盛部４０は、使用者が３０分〜１時間半程度、散歩したときの歩数を測定する場合を想定して、歩数目盛が所定間隔で設けられている。すなわち、人が１秒間に約２歩、歩くと仮定した場合、３０分で３６００歩、１時間で７２００歩、１時間半で１０８００歩であることにより、歩数目盛は、３６００歩〜１０８００歩の範囲であると想定する。
【００９４】
これに基づいて、回転目盛板５の歩数表示目盛部４０は、図２２に示すように、３.６（千歩）〜１０.８（千歩）の歩数目盛が円周に沿って一定間隔で設けられている。すなわち、この歩数表示目盛部４０の歩数目盛は、３.６（千歩）が６時位置に位置し、この６時位置から時計回りに３０度の角度ごとに約２２７歩を加算した歩数が５分ごとの時字６ａに対応して表示され、１２時の位置が７.０（千歩）になり、１周した６時の位置が１０.８（千歩）となり、この６時位置に３.６（千歩）と１０.８（千歩）とが重なった状態で表示されている。
【００９５】
一方、見切板７の円周に沿う一部には、図２２および図２３に示すように、微調整目盛部である副目盛部４１が印刷などによって設けられている。この副目盛部４１は、歩数表示目盛部４０の設置位置を微調整するためのものであり、単位時間当たりの歩数を表す単位目盛が所定間隔で表示されている。すなわち、単位時間（例えば１秒間）当たりの歩数は、人によって異なり、例えば子供の１秒間当たりの歩数が約１.５歩で、大人の速い人の１秒間当たりの歩数が約２.５歩程度であると想定する。
【００９６】
これにより、この副目盛部４１は、使用者に応じた単位時間当たりの歩数を正確に設定するために、図２３に示すように、約１.５（歩）〜約２.５（歩）の単位目盛が１２時の位置を中心にその両側に約３０度ずつの開き角度（全体で約６０度の角度）の範囲内で設けられている。すなわち、この副目盛部４１の各単位目盛は、２（歩）の単位目盛が１２時の位置に対応し、この２（歩）を基準に時計回り次第に歩数が０.１（歩）ずつ減少して最小が１.５歩となり、逆に反時計回りに次第に歩数が０.１（歩）ずつ増えて最大が２.５歩になるように設けられている。
【００９７】
また、回転目盛板５には、図２２および図２３に示すように、設定マーク４２が印刷などによって設けられている。この設定マーク４２は、回転目盛板５を回転させて副目盛部４１のいずれかの単位目盛に対応することにより、歩数表示目盛部４０の設置位置を微調整して使用者に合った単位時間当たりの歩数に応じた位置に設定するように構成されている。すなわち、この設定マーク４２は、３６００歩と１０８００歩との平均歩数である約７２００歩の目盛位置に設けられ、回転目盛板５を回転させて見切板７の副目盛部４１のいずれかの単位目盛に対応させることにより、歩数表示目盛部４０の設置位置を正確に設定するように構成されている。
【００９８】
次に、図２２〜図２５を参照して、この多機能腕時計で歩数を測定する場合について説明する。
この場合には、まず、図２２に示す腕時計ケース１の上面外周に回転可能に設けられたリング状の回転目盛板５を時計回り（図２３、図２４の矢印方向）に回転させて、図２３および図２４に示すように、回転目盛板５に設けられた設定マーク４２を文字板６の外周に設けられた見切板７の副目盛部４１のいずれかの単位目盛、つまり使用者に合った単位当たりの歩数に合わせる。
【００９９】
例えば、使用者が１秒間に１.７歩、歩く場合には、図２３に２点鎖線で示すように、設定マーク４２を副目盛部４１の１.７（歩）の目盛に合わせる。これにより、歩数表示目盛部４０の設置位置が所定位置、つまり使用者に合った単位当たりの歩数に対応する位置に微調整され、歩数表示目盛部４０がセットされて歩数を測定する準備が完了する。この状態で、押釦スイッチ３のストップウオッチスイッチを操作すると、指針１０の分針１２を１２時（０分）の位置に戻して運針させ、散歩を開始する。そして、ほぼ１時間程度歩いたときに、ストップウオッチスイッチを操作して、図２５に示すように、分針１２の運針を停止させる。
【０１００】
このときに、分針１２が指示する回転目盛板５の歩数表示目盛部４０の歩数目盛を読むことにより、１回目の歩数を測定することができる。例えば、使用者が歩いた時間が１時間９分の場合には、図２５に示すように、分針１２が１周して９分の位置で停止し、この停止した分針１２が指示する回転目盛板５の歩数表示目盛部４０の歩数目盛（７.８）を読むことにより、約７８００歩であると測定することができる。また、使用者が歩いた時間が５４分の場合には、図示しないが、分針１２が５４分を指示するので、この５４分の位置に対応する歩数目盛（５.６）を読むことにより、約５６００歩であると測定することができる。
【０１０１】
このときには、分針１２は１０秒間停止し、１０秒経過すると、停止していた分針１２が０分位置に戻ってから１０秒間だけ早送りされた後、通常の運針速度で運針する。そして、再び、使用者が歩き始めて１時間程度歩いた後に、再度、ストップウオッチスイッチを操作すると、分針１２の運針が停止する。この停止した分針１２が指示する歩数表示目盛部４０の歩数目盛を読むことにより、２回目の歩数を測定することができる。なお、押釦スイッチ３を操作して通常の時計モードに戻すと、秒針１１、分針１２、時針１３が通常運針して、現在時刻を指示する。
【０１０２】
このように、この多機能腕時計によれば、文字板６の上方を運針して時刻を指示する指針１０を備えた腕時計ケース１と、この腕時計ケース１の上部外周に回転可能に設けられ、且つその表面に歩数表示目盛部４０が設けられた回転目盛板５と、腕時計ケース１の内周における見切板７の一部に設けられた副目盛部４１と、回転目盛板５を回転させて副目盛部４１のいずれかの単位目盛に対応することにより、歩数表示目盛部４０の設置位置を微調整して所定位置に設定するための設定マーク４２とを備えているので、歩数表示目盛部４０を測定条件に合った位置に正確に設定して、歩いた歩数を正確に測定することができる。
【０１０３】
すなわち、この多機能腕時計によれば、腕時計ケース１の上部外周に回転可能に設けられた回転目盛板５を回転させて、腕時計ケース１の内周における見切板７の一部に設けられた副目盛部４１のいずれかの単位目盛に設定マーク４２を合わせることにより、回転目盛板５に設けられた歩数表示目盛部４０の設置位置を微調整して使用者の単位当たりの歩数に合った位置にセットすることができ、この状態で時刻を指示する指針１０の分針１２を腕時計ケース１内の文字板６上を運針させて、使用者が歩いた時間を分針１２で計測し、その計測した分針１２が回転目盛板５の表面に設けられた歩数表示目盛部４０の歩数目盛を指示することにより、簡単に且つ正確に歩いた歩数を測定することができる。
【０１０４】
なお、上記実施形態４では、回転目盛板５に３.６（千歩）〜１０.８（千歩）の各歩数目盛を１周だけ表示した歩数表示目盛部４０を設けた場合について述べたが、これに限らず、例えば図２６に示す第１変形例のように、回転目盛板５にそれぞれ異なる歩数目盛が表示された第１〜第３の各歩数表示目盛部４５〜４７を同心円上に異なる色で設けた構成でも良い。
【０１０５】
この場合、第１歩数表示目盛部４５は３０分〜１時間半程度の歩数（３６００歩〜１０８００歩）に対応する歩数目盛を内周側に設けた構成で、第２歩数表示目盛部４６は１時間半〜２時間半程度の歩数（１０８００歩〜１７６００歩）に対応する歩数目盛を内周側と外周側との間の中間部分に設けた構成で、第３歩数表示目盛部４７は２時間半〜３時間半程度の歩数（１７６００歩〜２４４００歩）に対応する歩数目盛を外周側に設けた構成になっている。
【０１０６】
このように構成すれば、使用者が３０分〜１時間半程度散歩したときに、分針１２で指示された第１歩数表示目盛部４５の歩数目盛を読み取れば良く、また使用者が１時間半〜２時間半程度散歩したときに、分針１２で指示された第２歩数表示目盛部４６の歩数目盛を読み取れば良く、さらに使用者が２時間半〜３時間半程度散歩したときに、分針１２で指示された第３歩数表示目盛部４７の歩数目盛を読み取れば良いので、３０分〜３時間半に亘る散歩でも、簡単に且つ正確に歩数を測定することができる。
【０１０７】
この場合にも、第１〜第３の各歩数表示目盛部４５〜４７は、それぞれ異なる色で表示されていることにより、回転目盛板５に同心円上に沿って第１〜第３の各歩数表示目盛部４５〜４７が設けられていても、指針１０の分針１２が指示する第１〜第３の各歩数表示目盛部４５〜４７の各歩数目盛を読みる際、第１〜第３の各歩数表示目盛部４５〜４７のうち、所望するいずれかの目盛部の歩数目盛を良好に見分けることができ、これにより正確に歩数を読み取ることができる。
【０１０８】
また、上記実施形態４およびその変形例では、腕時計ケースの上部外周に１つの回転目盛板５を設けた場合について述べたが、これに限らず、例えば図２７に示す第２変形例のように、回転目盛板５０をそれぞれ独立して回転する第１〜第３の各回転目盛リング５１〜５３で構成し、この第１〜第３の各回転目盛リング５１〜５３の表面にそれぞれ異なる歩数目盛が表示された第１〜第３の各歩数表示目盛部５４〜５６を設けると共に、第１〜第３の各回転目盛リング５１〜５３にそれぞれ第１〜第３の各設定マーク５７〜５９を設け、且つ第１〜第３の各回転目盛リング５１〜５３をそれぞれ異なる色で着色した構成でも良い。
【０１０９】
この場合にも、第１歩数表示目盛部５４は３０分〜１時間半程度の歩数（３６００歩〜１０８００歩）に対応する歩数目盛を円周に沿って設け、この第１歩数表示目盛部５４の中間部、つまり７２００歩に対応する箇所に第１設定マーク５７を設けた構成である。また、第２歩数表示目盛部５５は１時間半〜２時間半程度の歩数（１０８００歩〜１７６００歩）に対応する歩数目盛を円周に沿って設け、この第２歩数表示目盛部５５の中間部、つまり１４２００歩に対応する箇所に第２設定マーク５８を設けた構成である。第３歩数表示目盛部５６は２時間半〜３時間半程度の歩数（１７６００歩〜２４４００歩）に対応する歩数目盛を円周に沿って設け、この第３歩数表示目盛部５６の中間部、つまり２１０００歩に対応する箇所に第３設定マーク５９を設けた構成である。
【０１１０】
このように構成すれば、使用者が３０分〜１時間半程度散歩するときに、予め第１設定マーク５７を使用者の単位歩数に合う副目盛部４１に合わせた状態で、測定を開始して分針１２で指示された第１歩数表示目盛部５４の歩数目盛を読み取れば良く、また使用者が１時間半〜２時間半程度散歩するときに、予め第２設定マーク５８を使用者の単位歩数に合う副目盛部４１に合わせた状態で、測定を開始して分針１２で指示された第２歩数表示目盛部５５の歩数目盛を読み取れば良く、さらに使用者が２時間半〜３時間半程度散歩するときに、予め第３設定マーク５９を使用者の単位歩数に合う副目盛部４１に合わせた状態で、測定を開始して分針１２で指示された第３歩数表示目盛部５６の歩数目盛を読み取れば良いので、３０分〜３時間半に亘る散歩でも、簡単に且つ正確に歩いた歩数を測定することができる。
【０１１１】
この場合、第１回転目盛リング５１の第１歩数表示目盛部５４で歩数を読み取る場合には、第１設定マーク５７を副目盛部４１のいずれかの目盛に合わせた状態で、第２、第３の各回転目盛リング５２、５３の第２、第３の各設定マーク５８、５９を副目盛部４１から離れた位置にセットしておくことにより、第１歩数表示目盛部５４の歩数目盛を良好に見分けることができ、これにより第１歩数表示目盛部５４で歩いた歩数を正確に読み取ることができる。
【０１１２】
同様に、第２、第３の各回転目盛リング５２、５３の第２、第３歩数表示目盛部５５、５６で歩数を読み取る場合にも、第２、第３設定マーク５８、５９をそれぞれ副目盛部４１のいずれかの目盛に合わせ、これ以外の第１〜第３の各回転目盛リング５１〜５３の各設定マーク５７〜５９を副目盛部４１から離れた位置にセットしておくことにより、第２、第３の各歩数表示目盛部５５、５６の各歩数目盛を良好に見分けることができ、これにより第２、第３の各歩数表示目盛部５５、５６で歩いた歩数を正確に読み取ることができる。
【０１１３】
また、第１〜第３の各回転目盛リング５１〜５３も、それぞれ異なる色で着色されていることにより、回転目盛板５０がそれぞれ独立して回転する第１〜第３の各回転目盛リング５１〜５３を備え、この第１〜第３の各回転目盛リング５１〜５３に、それぞれ異なる歩数目盛が表示された第１〜第３の各歩数表示目盛部５４〜５６と、第１〜第３の各設定マーク５７〜５９とが設けられていても、指針１０の分針１２が指示する第１〜第３の各歩数表示目盛部５４〜５６の各歩数目盛を読み取る際、第１〜第３の各歩数表示目盛部５４〜５６のうち、所望するいずれかの目盛部の歩数目盛を良好に見分けることができ、これによっても正確に且つ簡単に歩いた歩数を読み取ることができる。
【０１１４】
なおまた、上記実施形態１〜４およびその各変形例では、見切板７に副目盛部１５、４１を設け、回転目盛板５、３０、５０に各設定マーク１６、３７〜３９、４２、５７〜５９を設けた場合について述べたが、これに限らず、例えば見切板７に各設定マーク１６、３７〜３９、４２、５７〜５９を設け、回転目盛板５、３０、５０に副目盛部１５、４１を設けた構成でも良い。この場合には、副目盛部１５、４１の各目盛を上述した各実施形態と逆向きに設ければ良い。
【０１１５】
さらに、上記実施形態１〜４およびその各変形例では、多機能時計として３針を備えた腕時計に適用した場合について述べたが、必ずしも３針の腕時計である必要はなく、４針以上の針を備えたクロノグラフの腕時計にも適用することができ、また腕時計に限らず、懐中時計、トラベルウオッチなどの携帯型の時計にも適用することができるほか、速度計や歩数計などの測定装置にも広く適用することができる。
【図面の簡単な説明】
【０１１６】
【図１】この発明を適用した多機能腕時計の実施形態１を示した拡大正面図である。
【図２】図１の速度表示目盛部に表示される目盛の速度を表で示した図である。
【図３】図２の速度を３.０ｋｍ〜３.９ｋｍの範囲で０.１ｋｍ単位ごとに各曲線で示した図である。
【図４】図１の状態における回転目盛板、設置マーク、副目盛部、および秒針の対応状態を示した要部の拡大図である。
【図５】図４の状態で回転目盛板を回転させて設置マークを副目盛部の所定目盛に合わせた状態を示した要部の拡大図である。
【図６】図５の状態でストップウオッチスイッチの操作によって秒針を運針させた後に、秒針を停止させた１回目の測定状態を示した要部の拡大図である。
【図７】図６の状態で１０秒経過したときに秒針が０秒位置に戻った状態を示した要部の拡大図である。
【図８】図７の状態で秒針を１０秒間早送りさせた状態を示した要部の拡大図である。
【図９】図８の状態で再び秒針が通常運針してストップウオッチスイッチが操作されて秒針が停止した２回目の測定状態を示した要部の拡大図である。
【図１０】この発明を適用した多機能腕時計の実施形態２を示した要部の拡大正面図である。
【図１１】図１０の状態で回転目盛板を回転させて設置マークを副目盛部の所定目盛に合わせた状態を示した要部の拡大図である。
【図１２】図１１の状態でストップウオッチスイッチの操作によって秒針を運針させた後に、秒針を停止させて第１〜第３の各速度表示目盛部のいずれかによって、１周が３.０〜５.９ｋｍのいずれかを走行する車の速度を測定する状態を示した要部の拡大図である。
【図１３】実施形態１、２の変形例を示した拡大正面図である。
【図１４】この発明を適用した多機能腕時計の実施形態３を示した要部の拡大正面図である。
【図１５】図１４の状態で第１回転目盛リングを回転させて第１設置マークを副目盛部の所定目盛に合わせた状態を示した要部の拡大図である。
【図１６】図１５の状態でストップウオッチスイッチの操作によって秒針を運針させた後に、秒針を停止させた１回目の測定状態を示した要部の拡大図である。
【図１７】図１４の状態で第２回転目盛リングを回転させて第２設置マークを副目盛部の所定目盛に合わせた状態を示した要部の拡大図である。
【図１８】図１７の状態でストップウオッチスイッチの操作によって秒針を運針させた後に、秒針を停止させた１回目の測定状態を示した要部の拡大図である。
【図１９】図１４の状態で第３回転目盛リングを回転させて第３設置マークを副目盛部の所定目盛に合わせた状態を示した要部の拡大図である。
【図２０】図１９の状態でストップウオッチスイッチの操作によって秒針を運針させた後に、秒針を停止させた１回目の測定状態を示した要部の拡大図である。
【図２１】実施形態１〜３の変形例を示した要部の拡大図である。
【図２２】この発明を適用した多機能腕時計の実施形態４を示した要部の拡大正面図である。
【図２３】図２２の副目盛部を示した拡大図である。
【図２４】図２２の状態で回転目盛板を回転させて設置マークを副目盛部の所定目盛に合わせることにより、歩数表示目盛部を所定位置にセットする状態を示した要部の拡大図である。
【図２５】図２４の状態でストップウオッチスイッチの操作によって分針を運針させた後に、分針を停止させて歩数を測定する状態を示した要部の拡大図である。
【図２６】実施形態４の第１変形例を示した要部の拡大図である。
【図２７】実施形態４の第２変形例を示した要部の拡大図である。
【符号の説明】
【０１１７】
１  腕時計ケース
３  押釦スイッチ
５、３０、５０  回転目盛板
６  文字板
７  見切板
１０  指針
１１、１１ａ、１１ｂ  秒針
１２  分針
１３  時針
１４  速度表示目盛部
１５、４１  副目盛部
１６、４２  設定マーク
２０〜２２、３４〜３６  第１〜第３の各速度表示目盛部
２５、２６  第１、第２の各速度表示目盛部
３１〜３３、５１〜５３  第１〜第３の各回転目盛リング
３７〜３９、５７〜５９  第１〜第３の各設定マーク
４０  歩数表示目盛部
４５〜４７、５４〜５６  第１〜第３の各歩数表示目盛部
【図１】
0005151459.tif 000002
【図２】
0005151459.tif 000003
【図３】
0005151459.tif 000004
【図４】
0005151459.tif 000005
【図５】
0005151459.tif 000006
【図６】
0005151459.tif 000007
【図７】
0005151459.tif 000008
【図８】
0005151459.tif 000009
【図９】
0005151459.tif 000010
【図１０】
0005151459.tif 000011
【図１１】
0005151459.tif 000012
【図１２】
0005151459.tif 000013
【図１３】
0005151459.tif 000014
【図１４】
0005151459.tif 000015
【図１５】
0005151459.tif 000016
【図１６】
0005151459.tif 000017
【図１７】
0005151459.tif 000018
【図１８】
0005151459.tif 000019
【図１９】
0005151459.tif 000020
【図２０】
0005151459.tif 000021
【図２１】
0005151459.tif 000022
【図２２】
0005151459.tif 000023
【図２３】
0005151459.tif 000024
【図２４】
0005151459.tif 000025
【図２５】
0005151459.tif 000026
【図２６】
0005151459.tif 000027
【図２７】
0005151459.tif 000028